(57)【要約】【課題】適切な画像データ選択処理を実行する技術を提供すること。【解決手段】仲介サーバ６０は、フォルダ種類情報をコンテンツサーバ１００から受信する。フォルダ選択指示情報を多機能機１０から受信する。サムネイルＵＲＬをコンテンツサーバ１００から受信する。選択フォルダに記憶されている複数の画像データ各々を識別する画像データ識別情報を選択するためのサムネイル画像選択画面を多機能機１０に表示させるための画像データ選択画面データを生成する。画像データ選択画面データを多機能機１０へ送信する。画像データ識別情報が識別する画像データを多機能機１０に取得させるための処理を行う。選択フォルダが第１種フォルダである場合には、第１種画像データ選択画面を多機能機１０に表示させるための第１種画像データ選択画面データを生成する。選択フォルダが第２種フォルダである場合には、第２種画像データ選択画面データを生成する。【選択図】図３
2014021607.tif 000002
【特許請求の範囲】
【請求項１】
画像処理装置およびサーバ装置とネットワークを介して接続することが可能な中継装置であって、
前記サーバ装置は、複数の画像データを複数のフォルダに分けて記憶しており、
前記画像データには、複数の種類が存在しており、
前記複数のフォルダの各々について、フォルダがどの種類の画像データを記憶するためのフォルダであるかを示すフォルダ種類情報を記憶しており、
前記中継装置は、
前記フォルダ種類情報を前記サーバ装置から受信するフォルダ種類情報受信手段と、
前記複数のフォルダの中から１のフォルダを選択するフォルダ選択指示情報を前記画像処理装置から受信するフォルダ選択指示情報受信手段と、
前記サーバ装置に記憶されている複数の画像データ各々を識別する画像データ識別情報を前記サーバから受信する画像データ識別情報受信手段と、
前記フォルダ種類情報受信手段が前記フォルダ種類情報を前記サーバ装置から受信し、かつ、前記フォルダ選択指示情報受信手段が前記フォルダ選択指示情報を前記画像処理装置から受信し、かつ、前記画像データ識別情報受信手段が前記画像データ識別情報を前記サーバから受信した場合に、前記フォルダ種類情報受信手段が受信したフォルダ種類情報と、前記フォルダ選択指示情報受信手段が受信したフォルダ選択指示情報と、前記画像データ識別情報受信手段が受信した画像データ識別情報と、に基づいて、前記フォルダ選択指示情報受信手段が受信したフォルダ選択指示情報によって選択が指示されたフォルダである選択フォルダに記憶されている複数の画像データ各々を識別する画像データ識別情報を選択するための画像データ選択画面を前記画像処理装置の表示部に表示させるための画像データ選択画面データを生成する画像データ選択画面データ生成手段と、
前記画像データ選択画面データ生成手段が生成した前記画像データ選択画面データを前記画像処理装置へ送信する画像データ選択画面データ送信手段と、
前記画像データ選択画面データ送信手段が前記画像データ選択画面データを前記画像処理装置へ送信した後に、前記画像データ選択画面データの送信先である画像処理装置から、前記複数の画像データ識別情報のうち、いずれかの画像データ識別情報を受信した場合に、前記画像データ選択画面データの送信先である画像処理装置から受信した前記画像データ識別情報が識別する画像データを前記画像処理装置に取得させるための処理を行う画像データ取得制御手段と、
を備え、
前記画像データ選択画面データ生成手段は、
前記選択フォルダが第１種の画像データを記憶するための第１種フォルダであることを、前記フォルダ種類情報が示している場合には、第１態様の前記画像データ選択画面である第１種画像データ選択画面を前記画像処理装置の表示部に表示させるための第１種画像データ選択画面データを生成し、
前記選択フォルダが前記第１種とは異なる第２種の画像データを記憶するための第２種フォルダであることを、前記フォルダ種類情報が示している場合には、前記第１態様とは異なる第２態様の前記画像データ選択画面である第２種画像データ選択画面を前記画像処理装置の表示部に表示させるための第２種画像データ選択画面データを生成する、ことを特徴とする中継装置。
【請求項２】
前記中継装置は、
複数の前記サーバ装置と前記ネットワークを介して接続することが可能であり、
前記複数のサーバ装置各々を識別する複数のサーバ識別情報のうち、いずれかのサーバ識別情報を選択させるためのサーバ選択画面データを生成するサーバ選択画面データ生成手段と、
前記サーバ選択画面データ生成手段が生成した前記サーバ選択画面データを前記画像処理装置へ送信するサーバ選択画面データ送信手段と、
前記サーバ選択画面データ送信手段が前記サーバ選択画面データを前記画像処理装置へ送信した後に、前記サーバ選択画面データの送信先である画像処理装置から、前記複数のサーバ識別情報のうち、１のサーバ識別情報を受信した場合に、前記１のサーバ識別情報が識別するサーバ装置における複数のフォルダ各々を識別するフォルダ識別情報を要求するフォルダ識別情報要求情報を前記１のサーバ識別情報が識別する前記サーバ装置へ送信するフォルダ識別情報要求情報送信手段と、
前記フォルダ識別情報要求情報送信手段が前記フォルダ識別情報要求情報を前記画像処理装置へ送信した後に、前記フォルダ識別情報要求情報の送信先であるサーバ装置における複数のフォルダ各々を識別するフォルダ識別情報と、前記フォルダ識別情報要求情報の送信先であるサーバ装置における複数のフォルダ各々についての前記フォルダ種類情報とを、前記フォルダ識別情報要求情報の送信先であるサーバ装置から受信した場合に、前記受信したフォルダ識別情報に基づいて、前記受信したフォルダ識別情報を選択させるためのフォルダ選択画面データを生成するフォルダ選択画面データ生成手段と、
前記フォルダ選択画面データ生成手段が生成した前記フォルダ選択画面データを前記画像処理装置へ送信するフォルダ選択画面データ送信手段と、
を備え、
前記フォルダ選択指示情報受信手段は、前記フォルダ選択画面データ送信手段が前記フォルダ選択画面データを前記画像処理装置へ送信した後に、前記フォルダ選択画面データの送信先である画像処理装置から送信された、前記複数のフォルダ識別情報のうち、１のフォルダ識別情報を、前記フォルダ選択指示情報として受信することを特徴とする請求項１に記載の中継装置。
【請求項３】
前記画像処理装置へ送信する画面データと、前記画面データを前記画像処理装置へ送信した後に、前記画面データの送信先である画像処理装置から返信される返信情報と、前記返信情報の返信元である画像処理装置へ次に送信する画面データと、の関連情報を記憶する関連情報記憶手段と、
前記画面データを前記画像処理装置へ送信した後に、前記画面データの送信先である画像処理装置から返信される返信情報を受信した場合に、前記関連情報記憶手段が記憶する関連情報に従って、前記返信情報の返信元である画像処理装置へ次の画面データを送信する、返信情報処理手段と、
を備え、
前記返信情報処理手段が、前記フォルダ識別情報要求情報送信手段と、前記フォルダ選択画面データ生成手段と、フォルダ選択画面データ送信手段と、して機能することを特徴とする請求項２に記載の中継装置。
【請求項４】
前記画像データ選択画面データ生成手段は、
前記選択フォルダが、前記選択フォルダに記憶される複数の画像データ各々が、各々１つの画像を再現するための画像データフォーマットの画像データである前記第１種の画像データを記憶するための前記第１種フォルダであることを、前記フォルダ種類情報が示している場合には、前記選択フォルダに記憶されている複数の画像データ各々に対応する複数のサムネイル画像を表示し、前記表示した複数のサムネイル画像のうち、いずれか複数のサムネイル画像を前記画像処理装置の使用者に選択させるための前記第１種画像データ選択画面データを生成し、
前記選択フォルダが、前記選択フォルダに記憶される複数の画像データ各々が、各々複数ページの画像を再現するための画像データフォーマットの画像データである前記第２種の画像データを記憶するための前記第２種フォルダであることを、前記フォルダ種類情報が示している場合には、前記選択フォルダに記憶されている複数の画像データ各々に対応する複数のサムネイル画像を表示し、前記表示した複数のサムネイル画像のうち、いずれか１つのサムネイル画像を前記画像処理装置の使用者に選択させるための前記第２種画像データ選択画面データを生成する、
ことを特徴とする請求項１〜３のいずれか１項に記載の中継装置。
【請求項５】
前記画像データ選択画面データ生成手段は、
前記選択フォルダが、前記選択フォルダに記憶される複数の画像データ各々が、各々１つの画像を再現するための画像データフォーマットの画像データである前記第１種の画像データを記憶するための前記第１種フォルダであることを、前記フォルダ種類情報が示している場合には、前記選択フォルダに記憶されている複数の画像データ各々に対応する複数のサムネイル画像を表示し、前記表示した複数のサムネイル画像のうち、いずれかのサムネイル画像を前記画像処理装置の使用者に選択させ、かつ、前記画像形成装置の使用者が選択したサムネイル画像に対応する画像データを何部印刷するかを前記画像形成装置の使用者が指定するための前記第１種画像データ選択画面データを生成し、
前記選択フォルダが、前記選択フォルダに記憶される複数の画像データ各々が、各々複数ページの画像を再現するための画像データフォーマットの画像データである前記第２種の画像データを記憶するための前記第２種フォルダであることを、前記フォルダ種類情報が示している場合には、前記選択フォルダに記憶されている複数の画像データ各々に対応する複数のサムネイル画像を表示し、前記表示した複数のサムネイル画像のうち、いずれかのサムネイル画像を前記画像処理装置の使用者に選択させ、かつ、前記画像形成装置の使用者が選択したサムネイル画像に対応する画像データを何部印刷するかを前記画像形成装置の使用者から受け付けることができない前記第２種画像データ選択画面データを生成する、
ことを特徴とする請求項１〜４のいずれか１項に記載の中継装置。
【請求項６】
前記画像データ選択画面データ生成手段は、
前記選択フォルダが、前記選択フォルダに記憶される複数の画像データ各々が、各々１つの画像を再現するための画像データフォーマットの画像データである前記第１種の画像データを記憶するための前記第１種フォルダであることを、前記フォルダ種類情報が示している場合には、前記選択フォルダに記憶されている複数の画像データ各々に対応する複数のサムネイル画像を表示し、前記表示した複数のサムネイル画像のうち、いずれかのサムネイル画像を前記画像処理装置の使用者に選択させるための前記第１種画像データ選択画面データを生成し、
前記選択フォルダが、前記選択フォルダに記憶される複数の画像データ各々が、各々複数ページの画像を再現するための画像データフォーマットの画像データである前記第２種の画像データを記憶するための前記第２種フォルダであることを、前記フォルダ種類情報が示している場合には、前記選択フォルダに記憶されている複数の画像データ各々に対応する複数のサムネイル画像を表示し、前記表示した複数のサムネイル画像のうち、いずれかのサムネイル画像を前記画像処理装置の使用者に選択させ、かつ、前記画像形成装置の使用者が選択したサムネイル画像に対応する画像データが再現することが可能な複数ページのうち何ページ目を印刷するかを前記画像形成装置の使用者に指定させるための前記第２種画像データ選択画面データを生成する、
ことを特徴とする請求項１〜５の何れか１項に記載の中継装置。
【請求項７】
前記画像データ選択画面データ生成手段は、
前記選択フォルダが、前記選択フォルダに記憶される複数の画像データ各々が、第１画像データフォーマットの画像データと、前記第１画像データフォーマットとは内容が異なる第２画像データフォーマットの画像データと、が関連付けられた画像データセットに含まれる画像データである第３種の画像データを記憶するための第３種フォルダであることを、前記フォルダ種類情報が示している場合には、
前記選択フォルダに記憶されている複数の画像データセット各々に対応する複数のサムネイル画像を表示し、前記表示した複数のサムネイル画像のうち、いずれかのサムネイル画像を前記画像処理装置の使用者に選択させ、かつ、前記画像形成装置の使用者が選択したサムネイル画像に対応する画像データセットに含まれる画像データのうち、前記第１画像データフォーマットの画像データを何部印刷するか、および、前記第２画像データフォーマットの画像データを何部印刷するか、のうち少なくともいずれかを前記画像形成装置の使用者が指定するための第３種画像データ選択画面データを生成する、
ことを特徴とする請求項１〜６の何れか１項に記載の中継装置。
【請求項８】
画像処理装置およびサーバ装置とネットワークを介して接続することが可能な中継装置のコンピュータが読み取り可能なプログラムであって、
前記サーバ装置は、複数の画像データを複数のフォルダに分けて記憶しており、
前記画像データには、複数の種類が存在しており、
前記複数のフォルダの各々について、フォルダがどの種類の画像データを記憶するためのフォルダであるかを示すフォルダ種類情報を記憶しており、
前記コンピュータを、
前記フォルダ種類情報を前記サーバ装置から受信するフォルダ種類情報受信手段と、
前記複数のフォルダの中から１のフォルダを選択するフォルダ選択指示情報を前記画像処理装置から受信するフォルダ選択指示情報受信手段と、
前記サーバ装置に記憶されている複数の画像データ各々を識別する画像データ識別情報を前記サーバから受信する画像データ識別情報受信手段と、
前記フォルダ種類情報受信手段が前記フォルダ種類情報を前記サーバ装置から受信し、かつ、前記フォルダ選択指示情報受信手段が前記フォルダ選択指示情報を前記画像処理装置から受信し、かつ、前記画像データ識別情報受信手段が前記画像データ識別情報を前記サーバから受信した場合に、前記フォルダ種類情報受信手段が受信したフォルダ種類情報と、前記フォルダ選択指示情報受信手段が受信したフォルダ選択指示情報と、前記画像データ識別情報受信手段が受信した画像データ識別情報と、に基づいて、前記フォルダ選択指示情報受信手段が受信したフォルダ選択指示情報によって選択が指示されたフォルダである選択フォルダに記憶されている複数の画像データ各々を識別する画像データ識別情報を選択するための画像データ選択画面を前記画像処理装置の表示部に表示させるための画像データ選択画面データを生成する画像データ選択画面データ生成手段と、
前記画像データ選択画面データ生成手段が生成した前記画像データ選択画面データを前記画像処理装置へ送信する画像データ選択画面データ送信手段と、
前記画像データ選択画面データ送信手段が前記画像データ選択画面データを前記画像処理装置へ送信した後に、前記画像データ選択画面データの送信先である画像処理装置から、前記複数の画像データ識別情報のうち、いずれかの画像データ識別情報を受信した場合に、前記画像データ選択画面データの送信先である画像処理装置から受信した前記画像データ識別情報が識別する画像データを前記画像処理装置に取得させるための処理を行う画像データ取得制御手段と、
して機能させ、
前記画像データ選択画面データ生成手段は、
前記選択フォルダが第１種の画像データを記憶するための第１種フォルダであることを、前記フォルダ種類情報が示している場合には、第１態様の前記画像データ選択画面である第１種画像データ選択画面を前記画像処理装置の表示部に表示させるための第１種画像データ選択画面データを生成し、
前記選択フォルダが前記第１種とは異なる第２種の画像データを記憶するための第２種フォルダであることを、前記フォルダ種類情報が示している場合には、前記第１態様とは異なる第２態様の前記画像データ選択画面である第２種画像データ選択画面を前記画像処理装置の表示部に表示させるための第２種画像データ選択画面データを生成する、
ことを特徴とするプログラム。
【請求項９】
画像処理装置およびサーバ装置とネットワークを介して通信する通信方法であって、
前記サーバ装置は、複数の画像データを複数のフォルダに分けて記憶しており、
前記画像データには、複数の種類が存在しており、
前記複数のフォルダの各々について、フォルダがどの種類の画像データを記憶するためのフォルダであるかを示すフォルダ種類情報を記憶しており、
前記通信方法は、
前記フォルダ種類情報を前記サーバ装置から受信するフォルダ種類情報受信ステップと、
前記複数のフォルダの中から１のフォルダを選択するフォルダ選択指示情報を前記画像処理装置から受信するフォルダ選択指示情報受信ステップと、
前記サーバ装置に記憶されている複数の画像データ各々を識別する画像データ識別情報を前記サーバから受信する画像データ識別情報受信ステップと、
前記フォルダ種類情報受信ステップが前記フォルダ種類情報を前記サーバ装置から受信し、かつ、前記フォルダ選択指示情報受信ステップが前記フォルダ選択指示情報を前記画像処理装置から受信し、かつ、前記画像データ識別情報受信ステップが前記画像データ識別情報を前記サーバから受信した場合に、前記フォルダ種類情報受信ステップが受信したフォルダ種類情報と、前記フォルダ選択指示情報受信ステップが受信したフォルダ選択指示情報と、前記画像データ識別情報受信ステップが受信した画像データ識別情報と、に基づいて、前記フォルダ選択指示情報受信ステップが受信したフォルダ選択指示情報によって選択が指示されたフォルダである選択フォルダに記憶されている複数の画像データ各々を識別する画像データ識別情報を選択するための画像データ選択画面を前記画像処理装置の表示部に表示させるための画像データ選択画面データを生成する画像データ選択画面データ生成ステップと、
前記画像データ選択画面データ生成ステップが生成した前記画像データ選択画面データを前記画像処理装置へ送信する画像データ選択画面データ送信ステップと、
前記画像データ選択画面データ送信ステップが前記画像データ選択画面データを前記画像処理装置へ送信した後に、前記画像データ選択画面データの送信先である画像処理装置から、前記複数の画像データ識別情報のうち、いずれかの画像データ識別情報を受信した場合に、前記画像データ選択画面データの送信先である画像処理装置から受信した前記画像データ識別情報が識別する画像データを前記画像処理装置に取得させるための処理を行う画像データ取得制御ステップと、
を備え、
前記画像データ選択画面データ生成ステップは、
前記選択フォルダが第１種の画像データを記憶するための第１種フォルダであることを、前記フォルダ種類情報が示している場合には、第１態様の前記画像データ選択画面である第１種画像データ選択画面を前記画像処理装置の表示部に表示させるための第１種画像データ選択画面データを生成し、
前記選択フォルダが前記第１種とは異なる第２種の画像データを記憶するための第２種フォルダであることを、前記フォルダ種類情報が示している場合には、前記第１態様とは異なる第２態様の前記画像データ選択画面である第２種画像データ選択画面を前記画像処理装置の表示部に表示させるための第２種画像データ選択画面データを生成する、
ことを特徴とする通信方法。
【発明の詳細な説明】
【技術分野】
【０００１】
本明細書では、通信装置およびサーバ装置とネットワークを介して接続されている中継装置などを開示する。
【背景技術】
【０００２】
近年、ネットワーク上のストレージサーバに電子ファイルを格納することが出来る、電子ファイル格納サービスが普及している。また、関連する技術が、特許文献１に開示されている。
【先行技術文献】
【特許文献】
【０００３】
【特許文献１】特開２００５−２６９２５０号公報
【発明の概要】
【発明が解決しようとする課題】
【０００４】
電子ファイル格納サービスから、所望の電子ファイルを画像処理装置にダウンロードさせることが考えられる。この場合、ファイル選択画面を画像処理装置の表示部に表示させ、ダウンロードする電子ファイルをユーザに選択させる必要がある。また、電子ファイルには、複数のページを含んだファイルや、単一ページのファイルなど、各種の種類が存在する。すると、電子ファイルの種類によっては、画像処理装置の表示部に表示されるファイル選択画面の表示態様が適切でなくなってしまう場合があり、ユーザの利便性を損なう恐れがある。
【課題を解決するための手段】
【０００５】
本明細書に記載されている中継装置は、画像処理装置およびサーバ装置とネットワークを介して接続することが可能な中継装置であって、サーバ装置は、複数の画像データを複数のフォルダに分けて記憶しており、画像データには、複数の種類が存在しており、複数のフォルダの各々について、フォルダがどの種類の画像データを記憶するためのフォルダであるかを示すフォルダ種類情報を記憶しており、中継装置は、フォルダ種類情報をサーバ装置から受信するフォルダ種類情報受信手段と、複数のフォルダの中から１のフォルダを選択するフォルダ選択指示情報を画像処理装置から受信するフォルダ選択指示情報受信手段と、サーバ装置に記憶されている複数の画像データ各々を識別する画像データ識別情報をサーバから受信する画像データ識別情報受信手段と、フォルダ種類情報受信手段がフォルダ種類情報をサーバ装置から受信し、かつ、フォルダ選択指示情報受信手段がフォルダ選択指示情報を画像処理装置から受信し、かつ、画像データ識別情報受信手段が画像データ識別情報をサーバから受信した場合に、フォルダ種類情報受信手段が受信したフォルダ種類情報と、フォルダ選択指示情報受信手段が受信したフォルダ選択指示情報と、画像データ識別情報受信手段が受信した画像データ識別情報と、に基づいて、フォルダ選択指示情報受信手段が受信したフォルダ選択指示情報によって選択が指示されたフォルダである選択フォルダに記憶されている複数の画像データ各々を識別する画像データ識別情報を選択するための画像データ選択画面を画像処理装置の表示部に表示させるための画像データ選択画面データを生成する画像データ選択画面データ生成手段と、画像データ選択画面データ生成手段が生成した画像データ選択画面データを画像処理装置へ送信する画像データ選択画面データ送信手段と、画像データ選択画面データ送信手段が画像データ選択画面データを画像処理装置へ送信した後に、画像データ選択画面データの送信先である画像処理装置から、複数の画像データ識別情報のうち、いずれかの画像データ識別情報を受信した場合に、画像データ選択画面データの送信先である画像処理装置から受信した画像データ識別情報が識別する画像データを画像処理装置に取得させるための処理を行う画像データ取得制御手段と、を備え、画像データ選択画面データ生成手段は、選択フォルダが第１種の画像データを記憶するための第１種フォルダであることを、フォルダ種類情報が示している場合には、第１態様の画像データ選択画面である第１種画像データ選択画面を画像処理装置の表示部に表示させるための第１種画像データ選択画面データを生成し、選択フォルダが第１種とは異なる第２種の画像データを記憶するための第２種フォルダであることを、フォルダ種類情報が示している場合には、第１態様とは異なる第２態様の画像データ選択画面である第２種画像データ選択画面を画像処理装置の表示部に表示させるための第２種画像データ選択画面データを生成する、ことを特徴とする。
【０００６】
上記の構成によると、通信装置の表示部に画像データ選択画面を表示させる際の表示態様を、選択フォルダが記憶する画像データの種類に応じて変化させることができる。画像データ選択画面は、選択フォルダに記憶されている複数の画像データ各々を識別する画像データ識別情報を選択するための画面である。画像データ識別情報の一例としては、サムネイル画像が挙げられる。これにより、画像データの種類に応じて、画像データ選択画面の表示態様を最適化することが可能となるため、ユーザの利便性を高めることができる。
【０００７】
請求項２に記載の中継装置によれば、複数のサーバ装置のうちの画像処理装置側で選択された１のサーバ装置に記憶されている複数のフォルダのうちの、１のフォルダ記憶されている複数の画像データ各々を識別する画像データ識別情報を選択するための画面の表示態様を最適化することが可能となる。よって、ユーザの利便性を高めることができる。
【０００８】
請求項３に記載の中継装置によれば、画面データを画像処理装置へ送信した後に、画像処理装置から返信情報を受信することに応じて、関連情報に従って次の画面データを画像処理装置へ送信する。画面データの一例としては、画像データ選択画面データ、サーバ選択画面データ、フォルダ選択画面データ、などが挙げられる。返信情報の一例としては、画像データ識別情報、サーバ識別情報、フォルダ選択指示情報、などが挙げられる。これにより、ユーザの選択に応じた画面を画像処理装置に表示させることが可能となる。
【０００９】
請求項４に記載の中継装置によれば、選択フォルダに第１種の画像データが記憶されている場合には、第１種の画像データを複数選択する操作が画像処理装置で受け付け可能とされる。第１種の画像データは、１つの画像を再現するための画像データフォーマットの画像データである。また、選択フォルダに第２種の画像データが記憶されている場合には、第２種の画像データの何れかを選択する操作が画像処理装置で受け付け可能とされる。第２種の画像データは、複数ページの画像を再現するための画像データフォーマットの画像データである。これにより、画像処理装置での操作の受け付け態様を、画像データの種類に応じて最適化することが可能となる。
【００１０】
１つの画像を再現するための画像データフォーマットの画像データである第１種の画像データは、複数部数の印刷処理を実行することが要求される場合がある。請求項５に記載の中継装置によれば、選択フォルダに第１種の画像データが記憶されている場合には印刷部数の入力を受け付けることができるため、選択された第１種の画像データを複数部数印刷することが可能となる。
【００１１】
請求項６に記載の中継装置によれば、複数ページの画像を再現するための画像データフォーマットの画像データである第２種の画像データが選択フォルダに記憶されている場合には、印刷ページの指定を受け付けることが可能となる。これにより、複数ページのうちの所望するページを選択的に印刷することができるため、ユーザの利便性を高めることができる。
【００１２】
請求項７に記載の中継装置によれば、第１画像データフォーマットの画像データと第２画像データフォーマットの画像データとで、別々に印刷ページの指定を受け付けることができる。第１画像データフォーマットの画像データ一例としては、紙で作る立体模型であるペーパークラフトが挙げられる。第２画像データフォーマットの画像データ一例としては、ペーパークラフトの説明書が挙げられる。これにより、データのフォーマットに応じた必要部数を印刷することができるため、ユーザの利便性を高めることができる。
【００１３】
上記の中継装置を実現するための方法、コンピュータプログラム、及び、当該コンピュータプログラムを格納するコンピュータ読取可能記録媒体も、新規で有用である。
【図面の簡単な説明】
【００１４】
【図１】通信システムの構成を示す。
【図２】第１ケースにおいて、各デバイスが実行する各処理のシーケンス図を示す。
【図３】第１ケースにおいて、各デバイスが実行する各処理のシーケンス図を示す。
【図４】関連情報テーブルの一例を示す。
【図５】第２ケースにおいて、各デバイスが実行する各処理のシーケンス図を示す。
【図６】メイン画面の表示例を示す。
【図７】サーバ選択画面の表示例を示す。
【図８】フォルダ選択画面の表示例を示す。
【図９】カードタイプのサムネイル画像選択画面の表示例を示す。
【図１０】カードタイプの画像データ選択画面の表示例を示す。
【図１１】ブックタイプのサムネイル画像選択画面の表示例を示す。
【図１２】ブックタイプの画像データ選択画面の表示例を示す。
【図１３】複合タイプのサムネイル画像選択画面の表示例を示す。
【図１４】複合タイプの画像データ選択画面の表示例を示す。
【発明を実施するための形態】
【００１５】
（システムの構成）
図１に示されるように、通信システム２は、多機能機１０と、仲介サーバ６０と、コンテンツサーバ１００および１１０と、を備える。各多機能機１０は、ＬＡＮ４に接続されている。仲介サーバ６０とコンテンツサーバ１００および１１０は、インターネット６に接続されている。
【００１６】
（多機能機１０の構成）
多機能機１０は、印刷機能、スキャン機能、コピー機能、ＦＡＸ機能等の多機能を実行可能である。多機能機１０は、操作部１２と、表示部１４と、ネットワークインターフェイス１６と、印刷実行部１８と、スキャン実行部１９と、制御部２０と、を備える。操作部１２は、複数のキーを備える。ユーザは、操作部１２を操作することによって、様々な指示を多機能機１０に入力することができる。表示部１４は、様々な情報を表示するためのディスプレイである。ネットワークインターフェイス１６は、ＬＡＮ４に接続されている。印刷実行部１８は、インクジェット方式、レーザ方式等の印刷機構を備える。スキャン実行部１９は、ＣＣＤ、ＣＩＳ等のスキャン機構を備える。制御部２０は、ＣＰＵ２２と、メモリ２４と、を備える。ＣＰＵ２２は、メモリ２４に格納されているプログラム２５に従って、様々な処理を実行する。
【００１７】
（仲介サーバ６０の構成）
仲介サーバ６０は、多機能機１０及びコンテンツサーバ１００、１１０とは別体に構成されているサーバである。仲介サーバ６０は、コンテンツサーバ１００および１１０から多機能機１０への画像データの提供を仲介するためのサーバである。仲介サーバ６０は、多機能機１０のベンダによって提供されるサーバである。仲介サーバ６０は、ネットワークインターフェイス６２と、制御部７０と、を備える。制御部７０は、ＣＰＵ７２と、メモリ７４と、を備える。メモリ７４には、プログラム７５および関連情報テーブル７６が記憶されている。ＣＰＵ７２は、プログラム７５に従って、様々な処理を実行する。
【００１８】
関連情報テーブル７６は、関連情報を記憶するテーブルである。関連情報は、多機能機１０から仲介サーバ６０に返信されてくる返信情報と、仲介サーバ６０から多機能機１０へ送信する画面データと、の関連を示す情報である。図４に、関連情報テーブル７６の一例を示す。関連情報テーブル７６は、画面情報３０１、画像情報３０２、関連情報３０３、を記憶している。画面情報３０１は、多機能機１０の表示部１４に表示されている画面を識別する情報である。画像情報３０２は、表示部１４に表示されている画面に含まれている各種の画像を識別する情報である。関連情報３０３は、各種の画像の何れかが選択された場合に、表示部１４に次に表示する画面情報を示す情報である。
【００１９】
（コンテンツサーバ１００および１１０の構成）
コンテンツサーバ１００および１１０は、多機能機１０のベンダによって提供されるオンラインサービスに用いられるサーバである。コンテンツサーバ１００および１１０は、いわゆるストレージサーバである。なお、コンテンツサーバ１００および１１０は、コンテンツサーバ１００および１１０のファイル記憶領域をユーザに貸し出すオンラインサービスに用いられるサーバであってもよい。オンラインサービスの例としては、「Ｅｖｅｒｎｏｔｅ（登録商標）」、「Ｇｏｏｇｌｅ（登録商標）  Ｄｏｃｓ」、「ＰＩＣＡＳＡ（登録商標）」、「ＦＡＣＥＢＯＯＫ（登録商標）」等の公知のサービスが挙げられる。オンラインサービスのユーザは、自己に割り当てられた記憶領域に、インターネット６経由で各種データをアップロードまたはダウンロードをすることができる。
【００２０】
コンテンツサーバ１００は、ファイル記憶領域１０１を備えている。ファイル記憶領域１０１は、各種のデータを記憶しておく領域である。ファイル記憶領域１０１には、複数の画像データが複数のフォルダに分けて記憶されている。図１の例では、複数の画像データが、「ポストカード」フォルダＦ１、「年賀状」フォルダＦ２、「ノート」フォルダＦ３、「絵本」フォルダＦ４、「ペーパークラフト」フォルダＦ５に分けて記憶されている場合を説明する。フォルダＦ１〜Ｆ５の各々は、「ポストカード」、「年賀状」、「ノート」、「絵本」、「ペーパークラフト」、の画像データを記憶するためのフォルダである。なお、フォルダは、ファイル記憶領域１０１に記憶されている複数の画像データを論理的に分ける単位である。同じフォルダ内に分けられている複数の画像データが、ファイル記憶領域１０１内の物理的に連続した記憶領域に記憶されている必要はない。また、同じフォルダ内に分けられている複数の画像データが、コンテンツサーバ１００のファイルシステムにおける同じディレクトリ内に記憶されている必要はない。同じフォルダ内に分けられている複数の画像データが、コンテンツサーバ１００のファイルシステムにおいては異なるディレクトリ内に記憶されていたとしても、多機能機１０のようなオンラインサービスのユーザ側の機器がコンテンツサーバ１００にアクセスすると、コンテンツサーバ１００は、ユーザ側の機器に対し、複数の画像データが同じフォルダ内に記憶されていることを示す情報を送信する。
【００２１】
「ポストカード」および「年賀状」のタイプは、カードタイプである。カードタイプのフォルダは、１つの画像を再現するための画像データフォーマットの画像データを記憶するためのフォルダである。１つの画像を再現するための画像データフォーマットの画像データとしては、ＪＰＥＧ形式の画像データ、ＥＸＩＦ形式の画像データ、ＰＮＧ形式の画像データ、ＢＭＰ形式の画像データなどが挙げられる。「ノート」および「絵本」のタイプは、ブックタイプである。ブックタイプのフォルダは、複数ページの画像を再現するための画像データフォーマットの画像データを記憶するためのフォルダである。複数ページの画像を再現するための画像データフォーマットの画像データとしては、ＰＤＦ形式の画像データ、ＴＩＦＦ形式の画像データなどが挙げられる。また、ブックタイプの画像データとして、Ｍｉｃｒｏｓｏｆｔ  Ｗｏｒｄ（登録商標）などのドキュメント作成アプリで作成された、ドキュメントファイル形式のデータを用いてもよい。また、ブックタイプの画像データとして、Ｍｉｃｒｏｓｏｆｔ  ＰｏｗｅｒＰｏｉｎｔ（登録商標）などのプレゼンテーションアプリで作成された、プレゼンテーションファイル形式のデータを用いてもよい。「ペーパークラフト」のタイプは、複合タイプである。複合タイプのフォルダは、複数種類の画像データを記憶するためのフォルダである。複合タイプのフォルダに含まれている画像データの一例としては、紙で作る立体模型であるペーパークラフトの画像データと、ペーパークラフトの説明書の画像データと、が挙げられる。「ペーパークラフト」のフォルダは、ペーパークラフトの画像データとして、１つの画像を再現するための画像データフォーマットの画像データを記憶し、ペーパークラフトの説明書の画像データとして、複数ページの画像を再現するための画像データフォーマットの画像データを記憶してもよい。また、「ペーパークラフト」のフォルダは、ペーパークラフトの画像データとして、複数ページの画像を再現するための画像データフォーマットの画像データを記憶し、ペーパークラフトの説明書の画像データとして、１つの画像を再現するための画像データフォーマットの画像データを記憶してもよい。また、「ペーパークラフト」のフォルダには、ペーパークラフトの画像データとしても、ペーパークラフトの説明書の画像データとしても、同じフォーマットの画像データを記憶してもよい。
【００２２】
また各フォルダは、どの種類の画像データを記憶するためのフォルダであるかを示すフォルダ種類情報が対応付けられている。フォルダ種類情報の一例としては、画像データのタイプが挙げられる。フォルダＦ１およびＦ２に対応付けられているフォルダ種類情報は、カードタイプである。フォルダＦ３およびＦ４に対応付けられているフォルダ種類情報は、ブックタイプである。フォルダＦ５に対応付けられているフォルダ種類情報は、複合タイプである。なお、コンテンツサーバ１１０の構成も、コンテンツサーバ１００と同様であるため、ここでは説明を省略する。
【００２３】
（仲介サーバ６０の役割）
コンテンツサーバを提供する事業者は、コンテンツサーバが記憶しているフォルダのフォルダ名や、コンテンツサーバが記憶している画像データのファイル名の返信をコンテンツサーバに要求するための専用のＡＰＩ（Application Program Interfaceの略）を公開している。多機能機がコンテンツサーバのＡＰＩに対応すれば、コンテンツサーバに情報の返信を要求することができるようになる。ＡＰＩの仕様が変更された場合、多機能機のソフトウェアを、変更されたＡＰＩに対応するように更新する必要が出てくる。しかしながら、すでに稼働している多機能機のソフトウェアを更新することは、ユーザにとって手間のかかる作業である。従って、本実施例では、多機能機１０をコンテンツサーバのＡＰＩに対応させる必要なく、多機能機１０がコンテンツサーバからデータをダウンロードすることができるように、仲介サーバ６０が設けられている。即ち、仲介サーバ６０は、コンテンツサーバが記憶しているフォルダのフォルダ名や、コンテンツサーバが記憶している画像データのファイル名の返信をコンテンツサーバに要求するためのＡＰＩに対応している。また、種類の異なる複数のコンテンツサーバが、インターネットに接続されている場合がある。また、各コンテンツサーバを提供する事業者は、コンテンツサーバからデータをダウンロードするための専用のＡＰＩ（Application Program Interfaceの略）を公開している。多機能機１０が複数個のコンテンツサーバのそれぞれからデータをダウンロードするためには、多機能機１０がそれぞれのコンテンツサーバのＡＰＩに対応している必要があり、多くのプログラムを格納する必要がある。しかしながら、ＰＣ等と比べると、多機能機１０のメモリの記憶容量は少ない。
【００２４】
従って、本実施例では、多機能機１０に多くのプログラムを格納させることなく、多機能機１０が複数個のコンテンツサーバのそれぞれからデータをダウンロードすることができるように、仲介サーバ６０が設けられている。即ち、仲介サーバ６０は、複数個のコンテンツサーバのための複数個のＡＰＩに対応している。そして、多機能機１０が、複数個のコンテンツサーバのうちの特定のコンテンツサーバ（例えばコンテンツサーバ１００）からデータをダウンロードすべき状況では、仲介サーバ６０は、特定のコンテンツサーバのためのＡＰＩを利用して、特定のコンテンツサーバと後述の様々な通信（例えば、図３に示されるＳ１３、Ｓ５３、Ｓ７３の各情報などの通信）を実行する。これにより、多機能機１０は、特定のコンテンツサーバのためのＡＰＩに対応していなくても、特定のコンテンツサーバからデータをダウンロードすることができる。
【００２５】
（多機能機、仲介サーバ、コンテンツサーバの動作）
（第１ケース）
第１ケースにおける多機能機１０、仲介サーバ６０、コンテンツサーバ１００の各動作を、図２および図３のシーケンス図を用いて説明する。第１ケースは、後述するＳ５１において、カードタイプが対応付けられているフォルダが選択された場合の動作を表す図である。
【００２６】
多機能機１０のＣＰＵ２２は、メイン画面を表示させる命令を受け付けると、Ｓ１５において、表示部１４にメイン画面を表示させる。メイン画面を表示させる命令は、ユーザによって操作部１２から入力されるとしてもよい。メイン画面を表すデータは、メモリ２４に予め格納されているとしてもよい。図６に、メイン画面２０１の一例を示す。メイン画面２０１は、ボタン画像Ｂ１〜Ｂ４を含んでいる。ボタン画像Ｂ１〜Ｂ４は、複数の機能の実行命令の入力を受け付けるための画像である。ボタン画像Ｂ１〜Ｂ４の各々によって受け付けられる機能は、Internet機能、Copy機能、FAX機能、Print機能、である。
【００２７】
本実施形態の説明例では、コンテンツサーバ１００から画像データをダウンロードする場合を説明する。この場合、メイン画面２０１に含まれるボタン画像Ｂ１が選択される。Ｓ１７において多機能機１０のＣＰＵ２２は、選択されたボタン画像Ｂ１を識別するためのボタン画像識別情報を、仲介サーバ６０に送信する。ボタン画像識別情報の一例としては、ボタン画像Ｂ１の名称である「Internet」が挙げられる。
【００２８】
仲介サーバ６０のＣＰＵ７２は、多機能機１０からボタン画像識別情報を受信すると、関連情報テーブル７６を用いて、次に多機能機１０へ送信する画面データを特定する。本実施形態の説明例では、図４の領域Ｒ１１に示すように、メイン画面２０１のボタン画像Ｂ１に対応する関連情報３０３として、サーバ選択画面２１１が特定される。サーバ選択画面２１１は、コンテンツサーバ１００および１１０のうち、いずれかのコンテンツサーバを選択させるための画面である。
【００２９】
Ｓ１８において、仲介サーバ６０のＣＰＵ７２は、サーバ選択画面２１１を表示させるためのサーバ選択画面データを生成する。メモリ７４には、サーバ選択画面データにどのような情報を含ませる必要があるかを示す、図示しない情報が記憶されている。仲介サーバ６０のＣＰＵ７２は、この情報に従って、サーバ選択画面データを生成する。サーバ選択画面データには、サーバ選択画面２１１にボタン画像Ｂ１１およびＢ１２が含まれることを示す情報と、ボタン画像Ｂ１１およびＢ１２のいずれかを選択するための画面を表示することを示す情報と、ボタン画像Ｂ１１およびＢ１２にそれぞれサーバ名「Server 100」および「Server 110」が対応することを示す情報と、ボタン画像Ｂ１１およびＢ１２に付して表示するための文字列を示す情報と、が含まれている。Ｓ１９において、仲介サーバ６０のＣＰＵ７２は、サーバ選択画面データを多機能機１０に送信する。
【００３０】
多機能機１０のＣＰＵ２２は、仲介サーバ６０からサーバ選択画面データを受信すると、Ｓ２１において、サーバ選択画面２１１を表示部１４に表示させる。図７に示されるように、サーバ選択画面２１１は、ボタン画像Ｂ１１およびＢ１２を含んでいる。ボタン画像Ｂ１１およびＢ１２は、コンテンツサーバ１００、１１０のそれぞれの選択を受け付けるための画像である。なお、多機能機１０のＣＰＵ２２は、仲介サーバ６０から受信したサーバ選択画面データに基づいて、ボタン画像Ｂ１１およびＢ１２の画像を表示するためのビットマップ情報などを作成し、サーバ選択画面２１１を表示部１４に表示させる。このように、多機能機１０の側でビットマップ情報を作成するため、サーバ選択画面データには、ボタン画像Ｂ１１およびＢ１２の画像を表示するためのビットマップ情報は含ませる必要がない。また、図７に示される上下の矢印ボタンを表示するためのビットマップ情報も含ませる必要がない。ユーザは、操作部１２を操作して、サーバ選択画面２１１の中から、画像データをダウンロードするべきコンテンツサーバを表すボタン画像を選択する。本実施例では、ユーザがボタン画像Ｂ１１（即ちコンテンツサーバ１００）を選択する場合を例として、説明を続ける。Ｓ２９において、多機能機１０のＣＰＵ２２は、ユーザが選択したボタン画像１１に対応するサーバ名「Server 100」を仲介サーバに送信する。ボタン画像１１に対応するサーバ名「Server 100」は、サーバ識別情報の一例である。
【００３１】
仲介サーバ６０のＣＰＵ７２は、Ｓ２９において多機能機１０から受信したサーバ識別情報に基づいて、関連情報テーブル７６を用いて、次に多機能機１０へ送信する画面データを特定する。本実施形態の説明例では、図４の領域Ｒ１２に示すように、サーバ識別情報であるサーバ名「Server 100」に対応する関連情報３０３として、フォルダ選択画面２２１が特定される。メモリ７４には、フォルダ識別情報をフォルダ選択画面データに含ませる必要があることを示す、図示しない情報が含まれている。また、メモリ７４には、フォルダ選択画面データを作成するためにフォルダ識別情報をコンテンツサーバ１００から取得する必要があることを示す、図示しない情報が含まれている。フォルダ選択画面データの作成には、フォルダ識別情報をコンテンツサーバ１００から取得する必要があることから、サーバ６０のＣＰＵ７２は、Ｓ３１において、フォルダ識別情報要求情報をコンテンツサーバ１００に送信する。フォルダ識別情報要求情報は、フォルダ識別情報を要求する情報である。フォルダ識別情報は、選択されたコンテンツサーバに記憶されている複数のフォルダの各々を識別するための情報である。フォルダ識別情報の一例としては、フォルダ名が挙げられる。コンテンツサーバ１００は、仲介サーバ６０からフォルダ識別情報要求情報を受信すると、Ｓ３３において、フォルダ識別情報およびフォルダ種類情報を仲介サーバ６０に送信する。フォルダ識別情報は、ファイル記憶領域１０１に記憶されているフォルダＦ１〜Ｆ５のフォルダ名である。フォルダ種類情報は、フォルダＦ１〜Ｆ５各々のタイプである。
【００３２】
メモリ７４には、関連情報テーブル７６の、フォルダ選択画面２２１に対応する領域に、受信したフォルダ種類情報を反映させる必要があることを示す、図示しない情報が含まれている。サーバ６０のＣＰＵ７２は、この情報に従って、関連情報テーブル７６のフォルダ選択画面２２１に対応する領域に、受信したフォルダ種類情報を反映させる。具体的には、フォルダ選択画面２２１に対応する画像情報３０２の領域に、「ボタン画像Ｂ２１「ポストカード」」「ボタン画像Ｂ２２「年賀状」」などを記憶させ、フォルダ選択画面２２１に対応する関連情報３０３の領域に、「カードタイプのサムネイル画像選択画面２３１」「ブックタイプのサムネイル画像選択画面２３２」などを記憶させる。また、メモリ７４には、メモリ７４の図示しない所定の領域に、受信したフォルダ種類情報を反映させる必要があることを示す、図示しない情報が含まれている。サーバ６０のＣＰＵ７２は、この情報に従って、メモリ７４の図示しない所定の領域に、受信したフォルダ種類情報を反映させる。
【００３３】
Ｓ３４において、仲介サーバ６０のＣＰＵ７２は、フォルダ選択画面２２１を表示させるためのフォルダ選択画面データを生成する。フォルダ選択画面は、画像データをダウンロードするフォルダを、ユーザに選択させるための画面である。仲介サーバ６０のＣＰＵ７２は、フォルダ選択画面２２１に表示する内容を、Ｓ３３において受信したフォルダ識別情報およびフォルダ種類情報を反映した関連情報テーブル７６、および、メモリ７４の図示しない所定の領域に記憶された情報に基づいて決定し、フォルダ選択画面データを生成する。フォルダ選択画面データには、フォルダ選択画面２２１にボタン画像Ｂ２１〜Ｂ２５が含まれることを示す情報と、ボタン画像Ｂ２１〜Ｂ２５のいずれかを選択するための画面を表示することを示す情報と、ボタン画像Ｂ２１〜Ｂ２５のそれぞれにフォルダ名「ポストカード」〜「ペーパークラフト」の各々が対応することを示す情報と、ボタン画像Ｂ２１〜Ｂ２５に付して表示するための文字列を示す情報と、が含まれている。Ｓ３５においてＣＰＵ７２は、フォルダ選択画面データを多機能機１０に送信する。
【００３４】
多機能機１０のＣＰＵ２２は、仲介サーバ６０からフォルダ選択画面データを受信すると、Ｓ３７において、フォルダ選択画面２２１を表示部１４に表示させる。図８に示されるように、フォルダ選択画面２２１は、ボタン画像Ｂ２１〜Ｂ２５を含んでいる。ボタン画像Ｂ２１〜Ｂ２５の各々は、フォルダＦ１〜Ｆ５のそれぞれの選択を受け付けるための画像である。
【００３５】
ユーザは操作部１２を操作して、フォルダ選択画面２２１の中から、ダウンロードしたいデータにアクセスするためのフォルダを表すボタン画像を選択する。第１ケースの説明例では、ユーザが「ポストカード」をダウンロードするために、ボタン画像Ｂ２１を選択する場合を例として、説明を続ける。
【００３６】
Ｓ５１において、多機能機１０のＣＰＵ２２は、フォルダ選択指示情報を仲介サーバ６０に送信する。フォルダ選択指示情報は、複数のフォルダの中から１のフォルダが選択されたことを示す情報である。フォルダ選択指示情報の一例としては、フォルダ名が挙げられる。
【００３７】
仲介サーバ６０のＣＰＵ７２は、Ｓ５１において多機能機１０から受信したフォルダ選択指示情報に基づいて、関連情報テーブル７６を用いて、次に多機能機１０へ送信する画面データを特定する。本実施形態の説明例では、図４の領域Ｒ１３に示すように、フォルダ選択指示情報であるフォルダ名「ポストカード」に対応する関連情報３０３として、カードタイプのサムネイル画像選択画面２３１が特定される。メモリ７４には、サムネイル画像データをサムネイル画像選択画面データに含ませる必要があることを示す、図示しない情報が含まれている。また、メモリ７４には、サムネイル画像選択画面データを作成するためにサムネイル画像データをコンテンツサーバ１００から取得する必要があることを示す、図示しない情報が含まれている。
【００３８】
サムネイル画像選択画面データの作成には、サムネイル画像データをコンテンツサーバ１００から取得する必要があることから、Ｓ５３において、仲介サーバ６０のＣＰＵ７２は、サムネイル画像ＵＲＬ要求情報をコンテンツサーバ１００に送信する。サムネイル画像ＵＲＬ要求情報は、受信したフォルダ選択指示情報に対応するフォルダに記憶された画像データのサムネイル画像を再現するためのサムネイル画像データにアクセスするためのサムネイル画像ＵＲＬを、要求する情報である。サムネイル画像は、画像データから再現される画像の見本用の画像である。サムネイル画像は画像データから再現される画像よりも、小さいサイズの画像である。
【００３９】
コンテンツサーバ１００は、仲介サーバ６０からサムネイル画像ＵＲＬ要求情報を受信すると、まず、ファイル記憶領域１０１を参照して、サムネイル画像ＵＲＬ要求情報により指定されたフォルダである選択フォルダを特定する。次いで、コンテンツサーバ１００は、選択フォルダに含まれる全ての画像データのサムネイル画像にアクセスするためのサムネイル画像ＵＲＬを特定する。Ｓ５５において、コンテンツサーバ１００は、特定されたサムネイル画像ＵＲＬを仲介サーバ６０に送信する。第１ケースの説明例では、選択フォルダである「ポストカード」フォルダＦ１に含まれる画像データのサムネイル画像ＵＲＬが、仲介サーバ６０に送信される。
【００４０】
Ｓ５６において仲介サーバ６０のＣＰＵ７２は、カードタイプのサムネイル画像選択画面を多機能機１０の表示部１４に表示させるための、サムネイル画像選択画面データを生成する。サムネイル画像選択画面データには、サムネイル画像選択画面２３１にサムネイル画像Ｐ１〜Ｐ３および印刷部数Ａ１〜Ａ３が含まれることを示す情報と、サムネイル画像Ｐ１〜Ｐ３に対応する画像データを示す情報と、印刷部数Ａ１〜Ａ３に付して表示するための文字列を示す情報と、などが含まれている。Ｓ５７において、仲介サーバ６０のＣＰＵ７２は、サムネイル画像選択画面データとサムネイル画像ＵＲＬとを、多機能機１０に送信する。
【００４１】
Ｓ５９において、多機能機１０のＣＰＵ２２は、サムネイル画像データリクエスト情報を、仲介サーバ６０を介さずに、コンテンツサーバ１００に送信する。サムネイル画像データリクエスト情報は、サムネイル画像ＵＲＬを含んだ情報である。Ｓ６１において、コンテンツサーバ１００は、サムネイル画像データリクエスト情報に含まれているサムネイル画像ＵＲＬによって特定されるサムネイル画像データを、仲介サーバ６０を介さずに多機能機１０に送信する。このように、仲介サーバ６０を介さずに、サムネイル画像ＵＲＬによって特定されるサムネイル画像データを多機能機１０に取得させることができる。
【００４２】
Ｓ６３において多機能機１０のＣＰＵ２２は、Ｓ５７において受信したサムネイル画像選択画面データと、Ｓ６１においてコンテンツサーバ１００からダウンロードしたサムネイル画像データとに基づいて、カードタイプのサムネイル画像選択画面２３１を表示部１４に表示させる。図９に、カードタイプのサムネイル画像選択画面２３１の表示例を示す。図９の表示例では、サムネイル画像選択画面２３１には、サムネイル画像Ｐ１〜Ｐ３、印刷部数Ａ１〜Ａ３、印刷ボタンＢ３１、が表示されている。サムネイル画像Ｐ１〜Ｐ３は、選択フォルダである「ポストカード」フォルダＦ１に記憶されている画像データの各々にアクセスするための画像である。印刷部数Ａ１〜Ａ３の各々は、サムネイル画像Ｐ１〜Ｐ３の各々に対応する画像を何部ずつ印刷するかを表す画像である。印刷ボタンＢ３１は、印刷実行命令の入力を受け付けるための画像である。ここでサムネイル画像選択画面２３１は、カードタイプに対応した第１態様で表示されている。第１態様は、サムネイル画像Ｐ１〜Ｐ３ごとに、印刷部数を指定することができる態様である。また第１態様は、サムネイル画像Ｐ１〜Ｐ３のうちから、複数のサムネイルを印刷対象として選択することができる態様である。
【００４３】
ユーザは、操作部１２を操作して、サムネイル画像選択画面２３１の中からサムネイル画像を選択する。本実施例では、ユーザによってサムネイル画像Ｐ１が選択される場合を例として、説明を続ける。Ｓ６５において、多機能機１０のＣＰＵ２２は、選択されたサムネイル画像Ｐ１の画像データ識別情報を仲介サーバ６０に送信する。
【００４４】
仲介サーバ６０のＣＰＵ７２は、多機能機１０から画像データ識別情報を受信すると、関連情報テーブル７６を用いて、次に多機能機１０へ送信する画面データを特定する。本実施形態の説明例では、図４の領域Ｒ１４に示すように、サムネイル画像Ｐ１に対応する画面として、カードタイプの印刷部数選択画面２４１が特定される。カードタイプの印刷部数選択画面データは、選択されたサムネイル画像に対応する画像データを何部印刷するかの入力を受け付けるための画面データである。
【００４５】
Ｓ６６において仲介サーバ６０のＣＰＵ７２は、カードタイプの印刷部数選択画面データを生成する。メモリ７４には、印刷部数選択画面データにどのような情報を含ませる必要があるかを示す、図示しない情報が記憶されている。仲介サーバ６０のＣＰＵ７２は、この情報に従って、印刷部数選択画面データを生成する。印刷部数選択画面データには、印刷部数選択画面２４１にボタン画像Ｂ４１〜Ｂ４４が含まれることを示す情報と、ボタン画像Ｂ４１に付して表示するための文字列を示す情報と、などが含まれている。Ｓ６７においてＣＰＵ７２は、カードタイプの印刷部数選択画面データを多機能機１０に送信する。
【００４６】
多機能機１０のＣＰＵ２２は、仲介サーバ６０からカードタイプの印刷部数選択画面データを受信すると、Ｓ６９において、カードタイプの印刷部数選択画面２４１を表示部１４に表示させる。図１０に示されるように、カードタイプの印刷部数選択画面２４１には、選択されたサムネイル画像Ｐ１と、印刷部数表示部Ｂ４１と、印刷部数ボタン画像Ｂ４２およびＢ４３と、ＯＫボタンＢ４４と、が表示される。印刷部数ボタン画像Ｂ４２およびＢ４３を操作することによって、サムネイル画像Ｐ１で表示される画像データの印刷部数を、印刷部数表示部Ｂ４１に入力させることができる。
【００４７】
Ｓ３３において受信したフォルダ識別情報およびフォルダ種類情報を反映した関連情報テーブル７６には、カードタイプの印刷部数選択画面２４１についての図示しない領域に、画像情報３０２「ＯＫボタンＢ４４」に対して、関連情報３０３「カードタイプのサムネイル画像選択画面２３１」が記憶されている。メモリ７４には、フォルダ選択画面データの作成には、カードタイプの印刷部数選択画面２４１で入力された印刷部数を反映させる必要があることを示す、図示しない情報が含まれている。そのため、ＯＫボタンＢ４４が選択されると、多機能機１０から仲介サーバ６０へ、カードタイプの印刷部数選択画面２４１で入力された印刷部数を示す情報が送信される。仲介サーバ６０のＣＰＵ７２は、印刷部数を反映したサムネイル画像選択画面データを作成し、多機能機１０へ送信する。多機能機１０には、カードタイプの印刷部数選択画面２４１で入力された印刷部数が反映されたサムネイル画像選択画面２３１が表示される。
【００４８】
関連情報テーブル７６のカードタイプのサムネイル画像選択画面２３１についての図示しない領域に、画像情報３０２「印刷ボタンＢ３１」に対して、関連情報３０３「画像データＵＲＬ」が記憶されている。また、メモリ７４には、画像データＵＲＬをコンテンツサーバ１００から取得する必要があることを示す、図示しない情報が含まれている。ユーザによって印刷ボタンＢ３１が選択されると、Ｓ７１において多機能機１０のＣＰＵ２２は、画像データ選択指示情報を仲介サーバ６０に送信する。画像データ選択指示情報は、多機能機１０において、いずれの画像データが選択されたかを示す情報である。具体的には、サムネイル画像選択画面２３１およびカードタイプの印刷部数選択画面２４１への入力によって、１以上の印刷部数が選択された画像データを示す情報である。画像データ選択指示情報は、選択されたサムネイル画像に対応する画像データのファイル名であってもよい。第１ケースの説明例では、図９に示すように、サムネイル画像Ｐ１およびＰ２に対応する画像データが印刷対象として選択された場合を例として、説明を続ける。仲介サーバ６０のＣＰＵ７２は、多機能機１０から画像データ選択指示情報を受信すると、Ｓ７３において、画像データ選択指示情報をコンテンツサーバ１００に送信する。
【００４９】
コンテンツサーバ１００は、仲介サーバ６０から画像データ選択指示情報を受信すると、Ｓ７５において、画像データ選択指示情報に含まれる画像データのファイル名に対応する画像データのＵＲＬである、画像データＵＲＬを仲介サーバ６０に送信する。第１ケースの説明例では、サムネイル画像Ｐ１およびＰ２に対応する画像データの画像データＵＲＬが、仲介サーバ６０に送信される。仲介サーバ６０のＣＰＵ７２は、コンテンツサーバ１００から画像データＵＲＬを受信すると、Ｓ７７において画像データＵＲＬを多機能機１０に送信する。
【００５０】
多機能機１０のＣＰＵ２２は、仲介サーバ６０から画像データＵＲＬを受信すると、Ｓ７９において、画像データリクエスト情報を、仲介サーバ６０を介さずにコンテンツサーバ１００に送信する。画像データリクエスト情報は、画像データＵＲＬを含んだ情報である。コンテンツサーバ１００は、多機能機１０から画像データリクエスト情報を受信すると、Ｓ８１において、画像データリクエスト情報に含まれる画像データＵＲＬによって特定される画像データを、仲介サーバ６０を介さずに多機能機１０に送信する。第１ケースの説明例では、サムネイル画像Ｐ１およびＰ２に対応する画像データが、仲介サーバ６０に送信される。このように、仲介サーバ６０を介さずに、画像データＵＲＬによって特定される画像データを多機能機１０に取得させることができる。
【００５１】
多機能機１０のＣＰＵ２２は、コンテンツサーバ１００から画像データをダウンロードすると、Ｓ８３において、ダウンロードした画像データを用いた印刷処理を印刷実行部１８に実行させる。第１ケースの説明例では、サムネイル画像Ｐ１およびＰ２によって表される画像が、１部ずつ印刷される。
【００５２】
（第２ケース）
第２ケースにおける多機能機１０、仲介サーバ６０、コンテンツサーバ１００の各動作を、図５のシーケンス図を用いて説明する。第２ケースは、Ｓ５１において、ブックタイプが対応付けられているフォルダが選択された場合の動作を表す図である。具体的には、図８のフォルダ選択画面２２１において、ユーザが「絵本」をダウンロードするために、ボタン画像Ｂ２４を選択する場合を例として、説明する。なお、第２ケースにおけるＳ１５〜Ｓ３７までの動作は、第１ケースにおける図２のＳ１５〜Ｓ３７の動作と同様であるため、説明を省略する。
【００５３】
図５のＳ５１において、多機能機１０のＣＰＵ２２は、フォルダ名「絵本」をフォルダ選択指示情報として仲介サーバ６０に送信する。仲介サーバ６０のＣＰＵ７２は、図４の領域Ｒ１５に示すように、フォルダ選択指示情報であるフォルダ名「絵本」に対応する関連情報３０３として、ブックタイプのサムネイル画像選択画面２３２を特定する。Ｓ５３において、仲介サーバ６０のＣＰＵ７２は、サムネイル画像ＵＲＬ要求情報をコンテンツサーバ１００に送信する。Ｓ５５において、コンテンツサーバ１００は、選択フォルダである「絵本」フォルダＦ４に記憶されている画像データのサムネイル画像ＵＲＬを、仲介サーバ６０に送信する。
【００５４】
Ｓ５６ａにおいて仲介サーバ６０のＣＰＵ７２は、ブックタイプのサムネイル画像選択画面を多機能機１０の表示部１４に表示させるための、サムネイル画像選択画面データを生成する。Ｓ５７において、仲介サーバ６０のＣＰＵ７２は、サムネイル画像選択画面データとサムネイル画像ＵＲＬとを、多機能機１０に送信する。Ｓ５９において、多機能機１０のＣＰＵ２２は、サムネイル画像データリクエスト情報をコンテンツサーバ１００に送信する。Ｓ６１において、コンテンツサーバ１００は、サムネイル画像ＵＲＬによって特定されるサムネイル画像データを、多機能機１０に送信する。
【００５５】
Ｓ６３ａにおいて、多機能機１０のＣＰＵ２２は、ブックタイプのサムネイル画像選択画面２３２を表示部１４に表示させる。図１１に、ブックタイプのサムネイル画像選択画面２３２の表示例を示す。図１１の表示例では、サムネイル画像選択画面２３２には、サムネイル画像Ｐ１１〜Ｐ１３、ページ指定範囲Ａ１１〜Ａ１３、印刷ボタンＢ５１〜Ｂ５３、が表示されている。サムネイル画像Ｐ１１〜Ｐ１３は、選択フォルダである「絵本」フォルダＦ４に記憶されている画像データの各々にアクセスするための画像である。ページ指定範囲Ａ１１〜Ａ１３の各々は、サムネイル画像Ｐ１１〜Ｐ１３の各々に対応する画像データの、印刷するページ範囲を表示する画像である。印刷ボタンＢ５１〜Ｂ５３は、サムネイル画像Ｐ１１〜Ｐ１３の各々に対応する画像データの印刷実行命令の入力を受け付けるための画像である。ここでサムネイル画像選択画面２３２は、ブックタイプに対応した第２態様で表示されている。第２態様は、サムネイル画像Ｐ１１〜Ｐ１３ごとに、印刷するページを指定することができる態様である。また、第２態様は、サムネイル画像Ｐ１１〜Ｐ１３のうちから、１つのみのサムネイルを印刷対象として選択することができる態様である。
【００５６】
ユーザは、操作部１２を操作して、サムネイル画像選択画面２３２の中から１個のサムネイル画像を選択する。本実施例では、ユーザがサムネイル画像Ｐ１１を選択する場合を例として、説明を続ける。Ｓ６５において、多機能機１０のＣＰＵ２２は、選択されたサムネイル画像Ｐ１１の画像データ識別情報を仲介サーバ６０に送信する。Ｓ６６ａにおいて仲介サーバ６０のＣＰＵ７２は、ブックタイプの印刷ページ選択画面データを生成する。ブックタイプの印刷ページ選択画面データは、選択されたサムネイル画像に対応する画像データのうち、いずれのページを印刷するかの入力を受け付けるための画面データである。本実施形態の説明例では、図４の領域Ｒ１６に示すように、サムネイル画像Ｐ１１に対応する画面として、ブックタイプの印刷ページ選択画面２４２が特定される。Ｓ６７ａにおいてＣＰＵ７２は、ブックタイプの印刷ページ選択画面データを多機能機１０に送信する。
【００５７】
Ｓ６９ａにおいて、ブックタイプの印刷ページ選択画面２４２を表示部１４に表示させる。図１２に示されるように、ブックタイプの印刷ページ選択画面２４２には、サムネイル画像Ｐ１１と、印刷ページ表示部Ｂ６１およびＢ６２と、印刷ページ数ボタン画像Ｂ６３〜Ｂ６６と、ＯＫボタンＢ６７と、が表示される。印刷ページ数ボタン画像Ｂ６３〜Ｂ６６を操作することによって、サムネイル画像Ｐ１で表示される画像データの印刷ページを印刷ページ表示部Ｂ６１およびＢ６２に入力させることができる。
【００５８】
Ｓ３３において受信したフォルダ識別情報およびフォルダ種類情報を反映した関連情報テーブル７６には、ブックタイプの印刷ページ選択画面２４２についての図示しない領域に、画像情報３０２「ＯＫボタンＢ６７」に対して、関連情報３０３「ブックタイプのサムネイル画像選択画面２３２」が記憶されている。メモリ７４には、フォルダ選択画面データの作成には、ブックタイプの印刷ページ選択画面２４２で入力された印刷ページを反映させる必要があることを示す、図示しない情報が含まれている。そのため、ＯＫボタンＢ６７が選択されると、多機能機１０から仲介サーバ６０へ、ブックタイプの印刷ページ選択画面２４２で入力された印刷ページを示す情報が送信される。仲介サーバ６０のＣＰＵ７２は、印刷ページを反映したサムネイル画像選択画面データを作成し、多機能機１０へ送信する。多機能機１０には、ブックタイプの印刷ページ選択画面２４２で入力された印刷ページが反映された、サムネイル画像選択画面２３２が表示される。
【００５９】
ユーザによって印刷ボタンＢ５１が選択されると、Ｓ７１において多機能機１０のＣＰＵ２２は、画像データ選択指示情報を仲介サーバ６０に送信する。第２ケースの説明例では、サムネイル画像Ｐ１１に対応する画像データのファイル名を仲介サーバ６０に送信する。図５のＳ７３以降の動作は、第１ケースにおける図３のＳ７３以降の動作と同様であるため、説明を省略する。
【００６０】
（第３ケース）
第３ケースにおいて、多機能機１０の表示部１４に表示される画面の内容を説明する。第３ケースは、Ｓ５１において、複合タイプが対応付けられているフォルダが選択された場合である。具体的には、図８のフォルダ選択画面２２１において、ユーザが「ペーパークラフト」をダウンロードするために、ボタン画像Ｂ２５を選択する場合を例として、説明する。なお、第３ケースにおける多機能機１０、仲介サーバ６０、コンテンツサーバ１００の各動作は、第２ケースの各動作と同様である。よって、各動作の説明を省略する。
【００６１】
図５のＳ６３ａにおいて、多機能機１０のＣＰＵ２２は、複合タイプのサムネイル画像選択画面２３３を表示部１４に表示させる。図１３に、複合タイプのサムネイル画像選択画面２３３の表示例を示す。図１３の表示例では、サムネイル画像選択画面２３３には、サムネイル画像Ｐ２１〜Ｐ２３、印刷部数Ａ２１〜Ａ２３およびＡ３１〜Ａ３３、印刷ボタンＢ７１〜Ｂ７３、が表示されている。サムネイル画像Ｐ２１〜Ｐ２３は、選択フォルダである「ペーパークラフト」フォルダＦ５に記憶されている画像データの各々にアクセスするための画像である。印刷部数Ａ２１〜Ａ２３の各々は、サムネイル画像Ｐ２１〜Ｐ２３の各々に対応する説明書の画像データの、印刷部数を表示する画像である。印刷部数Ａ３１〜Ａ３３の各々は、サムネイル画像Ｐ２１〜Ｐ２３の各々に対応するペーパークラフトの画像データの、印刷部数を表示する画像である。印刷ボタンＢ７１〜Ｂ７３は、サムネイル画像Ｐ２１〜Ｐ２３の各々に対応する画像データの印刷実行命令の入力を受け付けるための画像である。ここでサムネイル画像選択画面２３３は、複合タイプに対応した第３態様で表示されている。第３態様は、説明書の画像データとペーパークラフトの画像との各々について、印刷部数を指定することができる態様である。また、第３態様は、サムネイル画像Ｐ２１〜Ｐ２３のうちから、１つのみのサムネイルを印刷対象として選択することができる態様である。
【００６２】
図５のＳ６９ａにおいて、多機能機１０のＣＰＵ２２は、複合タイプの印刷部数選択画面２４３を表示部１４に表示させる。図１４に示されるように、複合タイプの印刷部数選択画面２４３には、選択されたサムネイル画像Ｐ２１と、印刷部数表示部Ｂ８１およびＢ８２と、印刷部数ボタン画像Ｂ８３〜Ｂ８６と、ＯＫボタンＢ８７と、が表示される。印刷部数ボタン画像Ｂ８３およびＢ８４を操作することによって、説明書の画像データの印刷部数を、印刷部数表示部Ｂ８１に入力させることができる。また、印刷部数ボタン画像Ｂ８５およびＢ８６を操作することによって、ペーパークラフトの画像データの印刷部数を、印刷部数表示部Ｂ８２に入力させることができる。
【００６３】
（効果）
本明細書に記載されている仲介サーバ６０では、選択フォルダに記憶されている画像データのタイプに応じて、多機能機１０の表示部１４に表示させるサムネイル画像選択画面の表示態様を変化させることができる（Ｓ６３、Ｓ６３ａ）。選択フォルダにカードタイプの画像データが記憶されている場合には、カードタイプのサムネイル画像選択画面（例えば、図９のサムネイル画像選択画面２３１）を表示させることができる。カードタイプのサムネイル画像選択画面では、画像データごとに印刷部数を指定することができる。また、複数の画像データを印刷対象として選択することができる。選択フォルダにブックタイプの画像データが記憶されている場合には、ブックタイプのサムネイル画像選択画面（例えば、図１１のサムネイル画像選択画面２３２）を表示させることができる。ブックタイプのサムネイル画像選択画面では、画像データごとに印刷するページを指定することができる。また、１の画像データのみを印刷対象として選択することができる。選択フォルダに複合タイプの画像データが記憶されている場合には、複合タイプのサムネイル画像選択画面（例えば、図１３のサムネイル画像選択画面２３３）を表示させることができる。複合タイプのサムネイル画像選択画面では、画像データフォーマットごとに印刷部数を指定することができる。以上より、選択フォルダに記憶されている画像データの種類に応じて、サムネイル画像選択画面の表示態様を最適化することが可能となるため、ユーザの利便性を高めることができる。
【００６４】
カードタイプの画像データは、１つの画像を再現するための画像データフォーマットであるため、複数部数を印刷することが要求される場合がある。本明細書に記載されている仲介サーバ６０では、選択フォルダにカードタイプの画像データが記憶されている場合には、カードタイプの印刷部数選択画面（例えば、図１０の印刷部数選択画面２４１）を表示させることができる（Ｓ６９）。これにより、カードタイプの画像データを、印刷部数を指定して印刷することが可能となる。
【００６５】
ブックタイプの画像データは、複数ページの画像を再現するための画像データフォーマットであるため、印刷ページを指定して印刷することが要求される場合がある。本明細書に記載されている仲介サーバ６０では、選択フォルダにブックタイプの画像データが記憶されている場合には、ブックタイプの印刷ページ選択画面（例えば、図１２の印刷ページ選択画面２４２）を表示させることができる（Ｓ６９ａ）。これにより、ブックタイプの画像データのうち、所望するページを選択的に印刷することができるため、ユーザの利便性を高めることができる。
【００６６】
複合タイプの画像データは、複数種類の画像データフォーマットの画像データが混合して含まれているため、画像データフォーマットごとに印刷部数を指定して印刷することが要求される場合がある。本明細書に記載されている仲介サーバ６０では、選択フォルダに複合タイプの画像データが記憶されている場合には、複合タイプの印刷部数選択画面（例えば、図１４の印刷部数選択画面２４３）を表示させることができる。これにより、画像データフォーマットごとに印刷部数を指定して印刷することができるため、ユーザの利便性を高めることができる。
【００６７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例が含まれる。
【００６８】
（変形例）
Ｓ１５において、表示部１４にメイン画面を表示させる態様は、様々であってよい。例えば、メイン画面を表示させる命令がユーザによって操作部１２から入力されると、多機能機１０が仲介サーバ６０にアクセスするとしてもよい。仲介サーバ６０が、メイン画面を表示させるためのメイン画面データを作成し、多機能機１０に送信してもよい。そして、多機能機１０が、メイン画面データに基づいてメイン画面を表示してもよい。
【００６９】
Ｓ１７において、選択されたボタン画像を識別するためのボタン画像識別情報には、様々な種類の情報を用いることが可能である。例えば、選択されたボタン画像に対応するＩＤ情報や、選択されたボタン画像の識別番号を、ボタン画像識別情報に用いてもよい。
【００７０】
多機能機１０のＣＰＵ２２は、サーバ選択画面データ（Ｓ１９）、フォルダ選択画面データ（Ｓ３５）、サムネイル画像選択画面データ（Ｓ５７）、印刷部数選択画面データ（Ｓ６７）、などを仲介サーバ６０から受信して各種の画像を表示する。ここで、これらのデータが、各種の画像を表示するためのビットマップ情報を含んでいる態様であってもよい。これにより、多機能機１０側でビットマップ情報を作成する必要がないため、多機能機１０での処理負担を軽減することができる。
【００７１】
ダウンロード対象の画像データを選択する態様は、サムネイル画像選択画面の中からサムネイル画像を選択する態様に限られない。例えば、選択候補の画像データのファイル名を一覧表示する、ファイル名選択画面を用いても良い。そして、選択されたファイル名に対応する画像データを、ダウンロード対象の画像データとしてもよい。
【００７２】
Ｓ６１やＳ８１において、サムネイル画像データや画像データをコンテンツサーバから多機能機１０にダウンロードする態様は、様々であってよい。例えば、仲介サーバ６０を介して、サムネイル画像データや画像データをダウンロードする態様でもよい。
【００７３】
Ｓ６９において、カードタイプの印刷部数選択画面２４１において、印刷部数の入力後にＯＫボタンＢ４４の押下が行われると、印刷部数の入力値が多機能機１０のメモリ２４に一時的に記憶されるとともに、サムネイル画像選択画面２３１に表示内容が切り替えられるとしてもよい。そして多機能機１０のＣＰＵ２２が、記憶していた印刷部数の入力値を、印刷部数の表示領域に表示させるとしてもよい。
【００７４】
仲介サーバ６０が、Ｓ５６においてサムネイル画像選択画面データを作成する際に、カードタイプの印刷部数選択画面データも作成するとしてもよい。そして、Ｓ５７において、サムネイル画像選択画面データと共に、カードタイプの印刷部数選択画面データも送信してもよい。多機能機１０は、Ｓ６３においてサムネイル画像選択画面を表示部１４に表示させるとともに、カードタイプの印刷部数選択画面データをメモリ２４に一時的に記憶させてもよい。サムネイル画像選択画面でサムネイル画像が選択されると、多機能機１０は、メモリ２４に記憶させていたカードタイプの印刷部数選択画面データに基づいて、カードタイプの印刷部数選択画面を表示部１４に表示させてもよい。これにより、多機能機１０と仲介サーバ６０との間の通信頻度を減少させることができる。
【００７５】
印刷部数の入力を受け付ける態様は、様々であってよく、図１０に示すような印刷部数選択画面２４１を用いない態様でもよい。例えば、図９のサムネイル画像選択画面２３１において、操作部１２などを用いて、印刷部数Ａ１〜Ａ３の表示部に印刷部数を直接入力する態様でもよい。
【００７６】
図１１に示すブックタイプのサムネイル画像選択画面２３２は、印刷するページ範囲を指定することができる態様で表示される場合を説明したが、この態様に限られない。印刷するページ範囲の指定を受け付けない態様で、サムネイル画像選択画面２３２が表示されてもよい。
【００７７】
仲介サーバ６０とコンテンツサーバ１００とが一体のサーバとして構成されていてもよい。また、本実施形態ではインターネット６にコンテンツサーバ１００および１１０が接続されている場合を説明したが、３つ以上のコンテンツサーバがインターネット６に接続されていてもよい。
【００７８】
本実施形態では、多機能機１０及び仲介サーバ６０のＣＰＵ２２、７２がソフトウェアに従って処理を実行する場合を説明したが、この形態に限られない。ソフトウェアに従って実現される機能のうちの少なくとも一部は、論理回路等のハードウェアによって実現されてもよい。
【００７９】
多機能機１０は画像処理装置の一例である。コンテンツサーバ１００および１１０はサーバ装置の一例である。仲介サーバ６０は中継装置の一例である。Ｓ３３を実行するＣＰＵ７２は、フォルダ種類情報受信手段の一例である。Ｓ５１を実行するＣＰＵ７２は、フォルダ選択指示情報受信手段の一例である。サムネイルＵＲＬは画像データ識別情報の一例である。Ｓ５５を実行するＣＰＵ７２は、画像データ識別情報受信手段の一例である。サムネイル画像選択画面は画像データ選択画面の一例である。Ｓ５６を実行するＣＰＵ７２は、画像データ選択画面データ生成手段の一例である。Ｓ５７を実行するＣＰＵ７２は、画像データ選択画面データ送信手段の一例である。Ｓ７７を実行するＣＰＵ７２は、画像データ取得制御手段の一例である。カードタイプの画像データは第１種の画像データの一例である。ブックタイプの画像データは第２種の画像データの一例である。複合タイプの画像データは第３種の画像データの一例である。Ｓ１８を実行するＣＰＵ７２は、サーバ選択画面データ生成手段の一例である。Ｓ１９を実行するＣＰＵ７２は、サーバ選択画面データ送信手段の一例である。Ｓ３１を実行するＣＰＵ７２は、フォルダ識別情報要求情報送信手段の一例である。Ｓ３４を実行するＣＰＵ７２は、フォルダ選択画面データ生成手段の一例である。Ｓ３５を実行するＣＰＵ７２は、フォルダ選択画面データ送信手段の一例である。画像データ選択画面データ、サーバ選択画面データ、フォルダ選択画面データは、画面データの一例である。画像データ識別情報、サーバ識別情報、フォルダ選択指示情報は、返信情報の一例である。関連情報テーブル７６は関連情報記憶手段の一例である。カードタイプの印刷部数選択画面データは、第１種画像データ選択画面データの一例である。ブックタイプの印刷ページ選択画面データは、第２種画像データ選択画面データの一例である。
【符号の説明】
【００８０】
１０：多機能機、６０：仲介サーバ、７６：関連情報テーブル、１００および１１０：コンテンツサーバ、２０１：フォルダＦ１ルートフォルダ、２１１：サーバ選択画面、２２１：フォルダ選択画面、２３１〜２３３：サムネイル画像選択画面、２４１：印刷部数選択画面、２４２：印刷ページ選択画面
【図１】
2014021607.tif 000003
【図２】
2014021607.tif 000004
【図３】
2014021607.tif 000005
【図４】
2014021607.tif 000006
【図５】
2014021607.tif 000007
【図６】
2014021607.tif 000008
【図７】
2014021607.tif 000009
【図８】
2014021607.tif 000010
【図９】
2014021607.tif 000011
【図１０】
2014021607.tif 000012
【図１１】
2014021607.tif 000013
【図１２】
2014021607.tif 000014
【図１３】
2014021607.tif 000015
【図１４】
2014021607.tif 000016